(57)【要約】【課題】ボディの開口部を閉塞する蓋体に形成されるフランジ部と、ボディの前部に取着される筒部材との間で、ボディ内部に対する防水、防塵効果を向上した魚釣用スピニングリールを提供する。【解決手段】本発明の魚釣用スピニングリールは、ボディ１Ｂの開口部を閉塞する蓋体１Ｄを備えたリール本体１Ａと、リール本体に回転可能に設けられたロータと、釣糸が巻回されるスプールと、を有する。蓋体１Ｄは、径方向に突出するフランジ部１Ｄａと、このフランジ部１Ｄａの外周端からスプール側に向けて突出する前方突出壁部１Ｄｂと、を備え、ボディの前部に装着した筒部材１Ｅ´の後端部の内周面を、前方突出壁部１Ｄａの外周面に対して重合する状態で接合したことを特徴とする。【選択図】  図５
2019136006.tif 000002
【特許請求の範囲】
【請求項１】
巻き取り駆動機構を収容するボディと、このボディの開口部を閉塞する蓋体とを備えたリール本体と、
前記リール本体に回転可能に設けられ、前記リール本体に設けられたハンドル軸の回転操作で回転駆動されるロータと、
前記リール本体に前後動可能に支持され、釣糸が巻回されるスプールと、
を有し、前記ハンドル軸の回転操作で前記ロータを回転しつつ前後動するスプールに釣糸を巻回する魚釣用スピニングリールにおいて、
前記蓋体は、径方向に突出するフランジ部と、このフランジ部の外周端から前記スプール側に向けて突出する前方突出壁部と、を備え、
前記ボディの前部に装着した筒部材の後端部の内周面を、前記前方突出壁部の外周面に対して重合する状態で接合したことを特徴とする魚釣用スピニングリール。
【請求項２】
前記前方突出壁部は、前記フランジ部とともに断面Ｌ字形となるように一体形成されていることを特徴とする請求項１に記載の魚釣用スピニングリール。
【請求項３】
前記筒部材が装着されるボディの前部の外周面に段差部を形成し、
前記段差部に、前記フランジ部の前方突出壁部を配置したことを特徴とする請求項１又は２に記載の魚釣用スピニングリール。
【請求項４】
前記前方突出壁部の外周面に周方向に沿って凹部を形成し、
前記凹部内に前記筒部材の後端部内周を配置したことを特徴とする請求項１から３のいずれか１項に記載の魚釣用スピニングリール。
【請求項５】
前記前方突出壁部、前記筒部材、及び、前記ボディの前部の夫々は、径方向に重合する状態で配設されていることを特徴とする請求項４に記載の魚釣用スピニングリール。
【請求項６】
前記筒部材の後端部の内周面と前記前方突出壁部の外周面との軸方向重合長さＷは、前記フランジ部の肉厚をＴとした場合、Ｗ≧０．５Ｔに設定したことを特徴とする請求項５に記載の魚釣用スピニングリール。
【発明の詳細な説明】
【技術分野】
【０００１】
本発明は、魚釣用スピニングリールに関する。
【背景技術】
【０００２】
魚釣用スピニングリールは、ロータを駆動回転する巻き取り駆動機構、及び、ハンドルの回転操作を前後往復動に変換するスプール往復動機構を収容する筐体として機能するボディと、このボディの開口部を閉塞し、駆動部の一部を支持する蓋体（ボディカバー）と、を備えたリール本体を有している。
【０００３】
実釣時における高負荷巻き取り操作時には、前記ハンドルが取り付けられたハンドル軸、及び、軸受を介してボディの開口部に複数本のネジ部材で固定される薄板状の前記蓋体には、こじるような力、ドライブギアとピニオンギア等のギア同士の噛合部のスラスト力等の作用により、ボディに対して蓋体が離間する方向に僅かながら変形（浮き上がり現象）が生じる。そして、このような変形の影響によって、前記噛合部や、その軸受等の摩耗を促進してしまい、噛合精度を安定して維持できずに回転性能を低下させてしまう問題が発生する。この傾向は、特に蓋体が合成樹脂材で形成される場合、顕著に現れる。
【０００４】
そこで、ボディ前部に装着したフロントカバー（筒状部材）の内周面を、蓋体の前部に形成したフランジ部の外周縁部周りに接合させて、蓋体の浮き上がりによる変形を抑制したものが特許文献１で提案されている。
【先行技術文献】
【特許文献】
【０００５】
【特許文献１】特開２０１２−２９６５０号
【発明の概要】
【発明が解決しようとする課題】
【０００６】
上記した構成の魚釣用スピニングリールは、フランジ部の外周縁部周りにフロントカバーの内周を接合する構造であるため、一般的に薄肉形成されているフランジ部の厚さ部分しか重合量が確保できない。すなわち、フランジ部の厚さの分だけの重合量では十分ではなく、強負荷巻き取り時における変形抑制状態（接合部の偏り）、寸法バラツキ、外力等の影響によって、両者の接合部間に僅かな隙間が生じ易い。この結果、水分、埃等がフランジ部前方に形成される内部空間に侵入して駆動部に支障を来し易くなり、防水、防塵の面では十分とはいえない。
【０００７】
本発明は、上記した問題に着目してなされたものであり、ボディの開口部を閉塞する蓋体に形成されるフランジ部と、ボディの前部に取着される筒部材との間で、ボディ内部に対する防水、防塵効果を向上した魚釣用スピニングリールを提供することを目的とする。
【課題を解決するための手段】
【０００８】
上記した目的を達成するために、本発明に係る魚釣用スピニングリールは、巻き取り駆動機構を収容するボディと、このボディの開口部を閉塞する蓋体とを備えたリール本体と、前記リール本体に回転可能に設けられ、前記リール本体に設けられたハンドル軸の回転操作で回転駆動されるロータと、前記リール本体に前後動可能に支持され、釣糸が巻回されるスプールと、を有し、前記ハンドル軸の回転操作で前記ロータを回転しつつ前後動するスプールに釣糸を巻回するように構成されており、前記蓋体は、径方向に突出するフランジ部と、このフランジ部の外周端から前記スプール側に向けて突出する前方突出壁部と、を備え、前記ボディの前部に装着した筒部材の後端部の内周面を、前記前方突出壁部の外周面に対して重合する状態で接合したことを特徴とする。
【０００９】
上記した構成の魚釣用スピニングリールでは、ボディを閉塞する蓋体に径方向に突出するフランジ部を設けるとともに、このフランジ部の外周端にスプール側に向けて突出する前方突出壁部を設け、この前方突出壁部の外周面に対してボディの前部に装着した筒部材の後端部の内周面を重合するように配設したため、重合量を軸方向に長くすることが可能となり、ハンドルの巻き取り操作時など、蓋体を浮き上がらせようとする力を効果的に押さえ付けることが可能となる。これにより、蓋体の変形が防止され、フランジ部と筒部材との間の密着性が高まり、防水、防塵効果を向上することが可能となる。
【発明の効果】
【００１０】
本発明によれば、ボディの開口部を閉塞する蓋体に形成されるフランジ部と、ボディの前部に取着される筒部材との間で、ボディ内部に対する防水、防塵効果を向上した魚釣用スピニングリールが得られる。
【図面の簡単な説明】
【００１１】
【図１】本発明の一実施形態に係る魚釣用スピニングリールの斜視図。
【図２】図１に示す魚釣用スピニングリールを側面から見た図であり、要部を切り欠いた部分断面図。
【図３】図２の要部拡大図。
【図４】図３のＡ−Ａ線に沿った断面図。
【図５】図３のＢ−Ｂ線に沿った断面図。
【図６】図５の主要部の拡大図。
【図７】（ａ）及び（ｂ）は、それぞれフランジ部と筒部材との係合関係の変形例を示す図。
【図８】ボディに蓋体を装着固定した状態を示す側面図。
【図９】逆転防止装置及び切換操作部の構成を示す要部断面図。
【図１０】図３のＣ−Ｃ線に沿った断面図。
【図１１】図３のＤ−Ｄ線に沿った断面図。
【発明を実施するための形態】
【００１２】
以下、図１から図１１を参照して、本発明に係る魚釣用スピニングリールの一実施形態について具体的に説明する。
【００１３】
本実施形態に係る魚釣用スピニングリール（以下、リールと称する）１のリール本体１Ａには、釣竿に装着される先端に竿装着部２Ａを形成したリール脚２が一体形成されており、その前方には、回転可能に支持されたロータ３と、ロータ３の回転運動と同期して前後動可能に支持されたスプール５とが配設されている。
【００１４】
前記リール本体１Ａは、後述する巻き取り駆動機構５０を収容するボディ１Ｂと、このボディ１Ｂの開口部１Ｃを閉塞する薄板状の蓋体１Ｄを備えている。また、前記ロータ３は、スプール５の周囲を回転する一対の腕部３ａを備えており、各腕部３ａの夫々の前端部には、ベール３ｂの基端部を取り付けたベール支持部材３ｃが釣糸巻き取り位置と釣糸放出位置との間で回動自在に支持されている。この場合、ベール３ｂの一方の基端部は、ベール支持部材３ｃに一体的に設けられた釣糸案内部（ラインローラ）３ｄに取り付けられている。
【００１５】
本実施形態のロータ３は、ロータ３の後端側がリール本体１Ａの前端側の円筒収容部（ボディ筒部）１Ｅに軸方向で重なるように配設されており、その後端面（底面）３Ａはリール本体１Ａ（円筒収容部１Ｅ）の外面との間で径方向に一定の隙間を生じさせた状態で回転駆動するようになっている。
【００１６】
図１１に示すように、リール本体１Ａ内には、ハンドル軸７が一対の軸受け７ａ，７ｂを介して回転可能に支持されており、その突出端部には、ハンドル７ｃが取り付けられている。前記ハンドル軸７は、リール本体１Ａの両サイドから突出するように支持されており、ハンドル７ｃは、公知のように、いずれか一方（右側巻き／左側巻き）に装着され、ハンドルを装着しない側のハンドル軸には、キャップ７ｄが取着されるようになっている。なお、図１では、上記したロータ３およびハンドル７ｃについては省略されている。
【００１７】
前記ハンドル軸７には、巻き取り駆動機構５０が係合しており、この巻き取り駆動機構５０は、ハンドル軸７に一体回転可能に装着された駆動ギア８と、この駆動ギア８に噛合するピニオン歯部１０ａを具備してハンドル軸７と直交する方向に延出し且つ内部に軸方向に延在する空洞部が形成された回転駆動軸（駆動部）としてのピニオン１０とを備えている。
【００１８】
前記ピニオン１０は、ピニオン歯部１０ａの前側と後側とがそれぞれ、リール本体１Ａ（ボディ１Ｂ）の支持部に嵌合支持された一対の軸受１２ａ，１２ｂにより、リール本体１Ａ内に回転可能に支持されている。また、ピニオン１０はスプール５側に向けて延出しており、ピニオン１０の先端部にはロータ３がロータナットを介して一体回転可能に取り付けられている。
【００１９】
前記ピニオン歯部１０ａの前側に配置した軸受１２ａの前方側のピニオン１０上には、逆転防止装置２０を構成する一方向クラッチ２１が取り付けられており、リール本体１Ａの外部に設けられた切換操作部３０を回動操作することで、ハンドル（ロータ３）の釣糸繰出し方向の逆回転を防止するようになっている。
すなわち、切換操作部３０を回動操作することで、ロータ３を逆転防止状態（逆転防止装置のＯＮ状態）と、逆回転可能状態（逆転防止装置のＯＦＦ状態）の切り換えができるように構成されている。
【００２０】
図３に示すように、前記一方向クラッチ２１は、ピニオン１０に対して回り止め嵌合された内輪２２と、内輪２２の外側で複数の転がり部材２６を周方向に亘って保持する保持器２３と、保持器２３の外側に配された外輪２５とを有している。前記外輪２５の内周面には、公知のように、保持器２３によって保持された複数の転がり部材２６がフリーに回転できるフリー回転領域と、複数の転がり部材２６の回転を阻止する楔領域とが形成されており、各転がり部材２６は、保持器２３に設けられたバネ部材（図示せず）によって楔領域に付勢されている。
【００２１】
このような構成の一方向クラッチ２１において、ピニオン１０と共に内輪２２が正回転（ロータ３が釣糸巻取り方向に回転）すると、保持器２３に保持される転がり部材２６が外輪２５のフリー回転領域に位置され、そのため、内輪２２の回転力が外輪２５に伝達されず（外輪２５によって阻止されず）、したがって、ピニオン１０とともにロータ３が支障なく回転する。これに対して、ピニオン１０と共に内輪２２が逆回転（ロータ３が釣糸繰出し方向に回転）しようとすると、保持器２３に保持される転がり部材２６がバネ部材によって外輪２５の楔領域に位置するため、内輪２２の回転力が外輪２５に伝達され、これがストッパとなって、ピニオン１０及びロータ３の逆回転が阻止される（一方向クラッチの逆転防止状態；ＯＮ状態）。
【００２２】
前記逆転防止装置を構成する一方向クラッチ２１は、切換操作部３０の回動操作によって、上記した逆転防止状態から逆転可能状態（ＯＦＦ状態）に切り換えできるようになっている。本実施形態の切換操作部３０は、レバー形態で構成されており、リール本体１Ａ（蓋体１Ｄ）の側面の輪郭内で且つ前記ハンドル軸７に対して前記竿装着部２と反対側の領域に回動可能（蓋体１Ｄに対して起伏可能）に配設されている。ここで、リール本体１Ａの側面の輪郭とは、図２及び図３の点線Ｅで示すように、リール本体１Ａ（蓋体１Ｄ）の外形状を規定するエッジを意味しており、本実施形態の切換操作部３０は、このエッジＥの領域内に配設され、かつ、その領域から突出しない（露出しない）ように配設されている。
【００２３】
上記した位置に配設される切換操作部３０は、図４、図９及び図１０に示すように、リール本体１Ａ内でスプール軸１５と略平行に延びる軸部３１を有しており、この軸部３１の先端突部３１ａは保持器２３の径方向に延びる延出部２３ａの係合孔２３ｂに係合して連結されている。また、軸部３１の基端部はビス３３によって切換操作部３０に固定されており、切換操作部３０を回動操作することにより、軸部３１を介して保持器２３を周方向に回動させることが可能となっている。この場合、軸部３１には、リール本体１Ａとの間で振り分けバネ３６が取り付けられており、保持器２３の回動位置を２か所（ＯＮ状態とＯＦＦ状態）で振り分け保持するように構成されている。
【００２４】
すなわち、切換操作部３０を回動して、保持器２３の回動位置がＯＮ状態（図１０のＰ１の位置）となるように振り分け保持されると、転がり部材２６は、上記したように、内輪２２（ピニオン）の正回転を許容するとともに逆回転を阻止する状態に保持される。また、切換操作部３０を回動して、保持器２３の回動位置がＯＦＦ状態（図１０のＰ２の位置）となるように振り分け保持されると、転がり部材２６は、バネ部材の付勢力に抗して外輪２５のフリー回転領域に強制的に位置し、内輪２２（ピニオン）の正回転及び逆回転を許容する状態に保持される。このように、切換操作部３０を回動操作することで、ロータ３の正回転を許容して逆回転を防止する位置と、ロータ３の正逆回転を許容する位置との間で選択的に切り換え操作できるようになっている。
【００２５】
前記ピニオン１０の内部に形成された空洞部には、ハンドル軸７と直交する方向に延出し、先端側にスプール５を装着したスプール軸１５が軸方向に移動可能に挿通されている。前記スプール軸１５は、ピニオン１０に連結されるギアトレインを介して駆動されるスプール往復動装置４０によって前後に往復動される。
【００２６】
前記スプール往復動装置４０は、前記スプール軸１５と平行となるようにリール本体内に回転可能に支持され、外周面に螺旋溝４１ａが形成された螺軸４１と、前記螺旋溝４１ａに係合する係合ピン４３ａを保持し、前記スプール軸１５の後端にビス４３を介して固定された摺動子（スライダ）４４と、摺動子４４を前後方向に摺動するようにガイドするガイド軸４５とを備えている（図１１では、摺動子４４の位置が図３の断面線Ｄ−Ｄの位置に前方側に移動したものとして示されている）。また、スプール往復動装置４０は、図１０に示すように、前記駆動ギア８によって回転駆動されるピニオン１０の歯部１０ａと噛合する動力伝達ギア（ギアトレイン）４７を備えている。本実施形態の動力伝達ギア４７は、二段ギアとして構成されており、ピニオンの歯部１０ａと噛合する大径ギア４７ａと、大径ギアに併設される小径ギア４７ｂとを備えており、この小径ギア４７ｂが前記螺軸４１の端部に固定された入力ギア４１ｂに噛合することで、ハンドル軸７の回転駆動が減速されて前記螺軸４１に伝達される。
【００２７】
上記した構成により、ハンドル７ｃを巻き取り操作すると、巻き取り駆動機構５０を構成する駆動ギア８及びピニオン１０を介してロータ３が回転駆動される共に、駆動ギア８、ピニオン１０、動力伝達ギア（二段ギア）４７、入力ギア４１ｂを介して螺軸４１が減速して回転駆動され、摺動子４４に固定されたスプール軸１５（スプール５）が前後方向に往復動される。したがって、釣糸は、回転駆動されるロータ３の釣糸案内部３ｄを介してスプール５に均等に巻回されるようになる。
【００２８】
上記した巻き取り駆動機構５０及びスプール往復動装置４０は、リール本体１Ａを構成するボディ１Ｂ内に収容されており、ボディ１Ｂの開口部１Ｃに蓋体１Ｄを被せることで閉塞される。この場合、図３に示すように、ボディ１Ｂ側の露出端面には、複数のネジ穴１ｇが形成されるとともに、蓋体１Ｄ側には、ネジ穴１ｇに対応する位置にネジ孔が複数個所形成されており、蓋体１Ｄを開口部１Ｃ部分に被せてネジ１ｆを螺入することで、蓋体１Ｄはボディ１Ｂに固定される。
【００２９】
また、前記ボディ１Ｂの前部は、筒状に形成されて前記円筒収容部１Ｅを構成しており、前記一方向クラッチ２１は、この円筒収容部１Ｅ内に配設されている。円筒収容部１Ｅの外周面には、全面に亘って密着される筒部材１Ｅ´が一体的に装着されており、この筒部材１Ｅ´は、ボディ１Ｂに対して装着される蓋体１Ｄとボディ１Ｂとの間から円筒収容部１Ｅ内へ水分や埃が侵入しないように防水、防塵機能を有する。
以下、防水、防塵機能を発揮するための具体的な構成について、図３から図８を参照して説明する。
【００３０】
前記蓋体１Ｄの前側には、軸方向から見て略１８０°に亘って径方向に突出するフランジ部１Ｄａが形成されており、このフランジ部１Ｄａの外周端には、前記スプール側に向けて突出する前方突出壁部１Ｄｂが形成されている。この前方突出壁部１Ｄｂの外周面には、前記筒部材１Ｅ´の後端部の内周面が重合する状態で接合されるようになっている（図６では、この重合する長さ（軸方向重合長さ）を符号Ｗで示す）。すなわち、前方突出壁部１Ｄｂの外周面に対して前記筒部材１Ｅ´の後端部の内周面を重合させることで、蓋体１Ｄの変形が抑制されるとともに、水分や埃の侵入を抑制することが可能となる。
【００３１】
本実施形態の前方突出壁部１Ｄｂとフランジ部１Ｄａは、断面Ｌ字形となるように一体形成されており、前方突出壁部１Ｄｂの先端側の外周面に前記筒部材１Ｅ´の後端部の内周面が重合されるようになっている。そして、このようにフランジ部１Ｄａに前方突出壁部１Ｄｂを一体形成し、この部分を利用してボディ１Ｂと接合させる構成の場合、前方突出壁部１Ｄｂ、筒部材１Ｅ´、及び、ボディ１Ｂの前部（円筒収容部１Ｅ）の夫々を、径方向に重合する状態にすることが好ましく、これにより、図６に示すように、前方突出壁部１Ｄｂと筒部材１Ｅ´との間、及び、前方突出壁部１Ｄｂとボディ１Ｂとの間でラビリンス構造が実現され、防水、防塵効果を高めることが可能となる。
【００３２】
この場合、図６に示すように、前記筒部材１Ｅ´が装着されるボディの前部の外周面に段差部１Ｇを形成しておき、この段差部１Ｇにフランジ部１Ｄａの前方突出壁部１Ｄｂを配置することが好ましい。また、このような構成に加え、前方突出壁部１Ｄｂの外周面に周方向に沿って凹部１Ｄｃを形成し、この凹部１Ｄｃ内に筒部材１Ｅ´の後端部内周を配置することが好ましい。
このような構成にすることで、蓋体１Ｄをボディに装着するに際して、前方突出壁部１Ｄｂ、筒部材１Ｅ´及びボディ１Ｂの前部（円筒収容部１Ｅ）の夫々を、径方向に重合する状態で組み込むことが容易に行えるようになる。
【００３３】
また、上記した構成によれば、ボディ１Ｂと、ボディ１Ｂを閉塞する蓋体１Ｄとの軸方向の係合量、すなわち、筒部材１Ｅ´の後端部の内周面と前方突出壁部１Ｄｂの外周面との軸方向重合長さＷを長く確保することが可能になるため、蓋体１Ｄの変形を防止することができ、フランジ部と筒部材との間の密着性が高まって防水、防塵効果を向上することが可能となる。特に、この蓋体１Ｄには、実釣時において、ハンドルの巻き取り操作時に高負荷が作用すると、ハンドル軸７、これを回転可能に支持する軸受７ａ，７ｂ（図１１参照）を介して、蓋体１Ｄをこじるような力（蓋体をＤ１方向に浮き上がらせようとする力；図４参照）が作用するが、上記したように、軸方向重合長さＷを長く確保することで、蓋体１Ｄを浮き上がらせようとする力を効果的に押さえ付けて、水分や埃が侵入するような隙間を生じ難くすることが可能となる。
【００３４】
なお、上記した軸方向重合長さＷについては、できるだけ長く確保することで蓋体１Ｄの浮き上がりを抑えることができることから、フランジ部１Ｄａの肉厚Ｔよりも長く形成する（Ｗ＞Ｔ）ことが好ましいが、Ｗ≧０．５Ｔに設定しておくことで、十分なラビリンス構造を確保して防水、防塵効果を高めることができると共に蓋体１Ｄの浮き上がりを抑制することが可能である。この場合、前方突出壁部１Ｄｂの外周面に形成される凹部１Ｄｃについては、図６に示したように、フランジ部１Ｄａの肉厚Ｔの範囲から外れて端部側に形成しても良いし、図７（ａ）に示すように、端部からフランジ部１Ｄａの肉厚Ｔの範囲内に亘って形成しても良い。或いは、図７（ｃ）に示すように、端部からフランジ部１Ｄａの肉厚Ｔと同等な位置に亘って形成しても良い。このように構成することで、前方突出壁部１Ｄｂの前方への長さを大きくすることなく、効率的に（Ｗ＞Ｔ）の関係を実現することが可能となる。このように、筒部材１Ｅ´の後端部の内周面が、前方突出壁部１Ｄｂの外周面に当て付いて接合された状態になっていれば、その重合態様については、特に限定されることはない。
【００３５】
また、図３及び図８に示すように、蓋体１Ｄの前方側でネジ止めする構成では、蓋体１Ｄをボディ１Ｂに対してネジ止めした後、円筒収容部１Ｅに筒部材１Ｅ´を装着することで、複数のネジ１ｆの内、前方側のネジを隠すことも可能である。この場合、筒部材１Ｅ´は、一方向クラッチ２１をシールするシール部材（本実施形態では、磁気シール機構で構成される）を保持した蓋部材７０を円筒収容部１Ｅの前方開口に止めビス７１等によって固定することで、軸方向に対して抜け止め固定することが可能である。
【００３６】
上述したように、本実施形態の切換操作部３０は、リール本体１Ａ（蓋体１Ｄ）の側面の輪郭Ｅ内で且つ前記ハンドル軸７に対して前記竿装着部２と反対側の領域で、その領域から突出しない（露出しない）ように配設されている。
具体的には、図９に示すように、蓋体１Ｄの前側に、軸部３１の支持部となる前記フランジ部１Ｄａが形成されており、そのフランジ部１Ｄａに貫通孔１Ｄｅを形成し、蓋体１Ｄの取着時に、貫通孔１Ｄｅに切換操作部３０の軸部３１を挿通させることにより、蓋体１Ｄの矢印Ｄ１方向への浮き上がり（図４参照）を規制するようにしている。このため、上記した前方突出壁部１Ｄｂと筒部材１Ｅ´の係合構造に加え、切換操作部３０の軸部３１によっても蓋体１Ｄの浮き上がりが規制されることから、蓋体１Ｄがこじれるような変形を受けることがより確実に防止され、ピニオンギアとドライブギアの噛合部やその軸受１２ａ，１２ｂ等を摩耗させることなく耐久性を向上し、噛合精度を安定して維持することが可能となる。
【００３７】
また、前記切換操作部３０は、ハンドル軸７の軸芯よりも前方側（好ましくは本実施形態のように、ハンドル軸の前方側且つ下方側）の領域に配設されているため、蓋体１Ｄがこじれる力を受けた際に影響を及ぼす巻き取り駆動機構５０の軸受等の部品の近くで規制を行なえるようになり、より効果的に部品の摩耗を防止し、噛合部を精度良く維持することができる。また、そのような位置に配設したことで、一方向クラッチの保持器２３と連結される軸部３１の長さを短くすることができ、これにより連結部分での強度が向上して作動を安定化できるとともに、軽量化することが可能となる。
【００３８】
また、切換操作部３０がロータ側に近い位置にあることから、実釣時や取り扱い時に、ロータ３の径方向の膨出によって指などの他物が切換操作部３０に誤って触れてしまうことがなく、逆転防止装置が誤作動することが防止できる。特に、本実施形態では、切換操作部３０の少なくとも一部を、前記ロータ３の後端面３Ａよりもスプール側に位置するように配設したことで、切換操作部３０の一部がロータ３によって覆われた状態となり、他物が接触等し難くなり、破損や誤作動などを確実に防止することができる。
【００３９】
なお、切換操作部３０を蓋体１Ｄの表面領域で起伏させる構成では、図１０に示すように、前記リール本体１Ａの側面（蓋体１Ｄ）の表面に凹部１ｄを形成しておき、切換操作部３０が倒伏した際、切換操作部が表面からできるだけ突出しないように構成する（切換操作部３０と蓋体１Ｄの表面が略面一状になる）ことが好ましい。このように構成することで、糸絡みを効果的に防止できるとともに、他物が引っ掛かることが確実に防止できる。
【００４０】
また、切換操作部３０を倒伏したＯＮ状態で、蓋体１Ｄとの間で空間が生じるように切り換え保持させることが好ましい。例えば、本実施形態では、前記凹部１ｄ内に凸部１ｅを形成しており、切換操作部３０が倒伏した際に、凸部１ｅに当て付いて、回動位置を規制しつつ、凸部によって空間Ｓが生じるようにしている。このような構成によれば、切換操作部３０をＯＮ状態からＯＦＦ状態に回動操作する際、空間Ｓにより指を引っ掛け易くなり、操作性の向上が図れるようになる。
【００４１】
以上、本発明の実施形態について説明したが、本発明は、上記した実施形態に限定されることはなく、種々変形することが可能である。上述した実施形態では、切換操作部３０を利用して蓋体１Ｄの浮き上がりを規制できるようにしたが、切換操作部の配設位置や操作態様については上記した構成に限定されることはなく、種々変形することが可能である。また、本発明は、リール本体の円筒収容部１Ｅに筒部材１Ｅ´を装着するに際して、蓋部材１Ｄのフランジ部に形成された前方突出壁部１Ｄｂを係合させることで防水、防塵効果を高め且つ蓋体の浮き上がりを規制することに特徴があり、それ以外の構成については、図に示した実施形態の構成に限定されることはない。
【符号の説明】
【００４２】
１  魚釣用スピニングリール
１Ａ  リール本体
１Ｂ  ボディ
１Ｄ  蓋体
１Ｅ´  筒部材
１Ｄａ  フランジ部
１Ｄｂ  前方突出壁部
１Ｄｃ  凹部
１Ｇ  段差部
３  ロータ
５  スプール
２１  一方向クラッチ
３０  切換操作部
５０  巻き取り駆動機構
【図１】
2019136006.tif 000003
【図２】
2019136006.tif 000004
【図３】
2019136006.tif 000005
【図４】
2019136006.tif 000006
【図５】
2019136006.tif 000007
【図６】
2019136006.tif 000008
【図７】
2019136006.tif 000009
【図８】
2019136006.tif 000010
【図９】
2019136006.tif 000011
【図１０】
2019136006.tif 000012
【図１１】
2019136006.tif 000013